(57)【特許請求の範囲】
【請求項１】
画像が表示される表示部と、
前記表示部に第１の画像を表示する第１の画像表示手段と、
所定のアプリケーションに係る第２の画像を表示する第２の画像表示手段と、
前記第１の画像の表示位置と前記第２の画像の表示位置とを制御する表示位置制御手段と、を備え、
前記表示位置制御手段は、前記表示部への表示を開始する際に、当該表示を開始する前に前記第２の画像を表示する位置に応じて第１の画像を表示する位置を制御すると共に、
前記表示位置制御手段は、前記第１の画像中の要部の中心位置が前記第２の画像の中心位置から所定の距離以上離れるように、前記第１の画像の表示位置と前記第２の画像の表示位置とを制御する
ことを特徴とする電子機器。
【請求項２】
前記第１の画像を表示する位置が、
前記表示部の画面上において、前記第１の画像の位置と前記第２の画像の位置とが対称となる位置であることを特徴とする請求項１記載の電子機器。
【請求項３】
前記表示位置制御手段は、前記第２の画像の表示位置の変化に応じて、前記第１の画像の表示位置を制御することを特徴とする請求項１又は請求項２に記載の電子機器。
【請求項４】
画像が表示される表示部と、
前記表示部に第１の画像を表示する第１の画像表示手段と、
所定のアプリケーションを起動する起動手段と、
前記起動手段により前記所定のアプリケーションが起動された際に、当該起動された所定のアプリケーションに係る第２の画像を表示する第２の画像表示手段と、
前記第１の画像の表示位置を、前記表示部の画面上において、前記第２の画像が表示されている位置に応じた所定の位置に制御する表示位置制御手段と、
前記第２の画像中の選択項目を選択する選択手段、を備え、
前記表示位置制御手段は、前記選択手段によって前記第２の画像中の一の選択項目が選択されたときに、前記第１の画像の表示位置を、前記表示部上において、前記第２の画像中の一の選択項目が表示されている位置に応じた所定の位置に制御すると共に、
前記表示位置制御手段は、前記第１の画像中の要部が前記選択された一の選択項目の中心位置から所定の距離以上離れるように前記第１の画像の表示位置を制御する
ことを特徴とする電子機器。
【請求項５】
前記表示位置制御手段は、
前記第１の画像の移動方向が、前記選択項目が選択された際における前記第１の画像中の要部と前記選択項目の中心位置とを結ぶ方向であることを特徴とする請求項４記載の電子機器。
【請求項６】
前記選択項目が選択されていない場合は、前記第１の画像は、前記表示部の画面上において所定位置に表示されていることを特徴とする請求項５に記載の電子機器。
【請求項７】
前記第２の画像は、前記選択項目が選択されることにより所定の機能が発揮されるメニュー画像であることを特徴とする請求項４から請求項６のいずれか１項に記載の電子機器。
【請求項８】
前記メニュー画像は、前記表示部において前記選択項目がマトリクス状に配置された画像であることを特徴とする請求項７に記載の電子機器。
【請求項９】
前記第２の画像は、前記表示部おいて、複数の項目が所定方向に並べて配置された画像であることを特徴とする請求項１から請求項６のいずれか１項に記載の電子機器。
【請求項１０】
前記表示部は、複数層の構造により各種の情報が表示され、
前記第１の画像が前記複数層のうちの第１の層に表示され、
前記第２の画像が前記複数層のうちの第２の層に表示され、
前記第２の画像は透過部分を有しており、
前記表示位置制御手段は、前記第１の画像を前記第２の画像の透過部分に配されるように前記第１の画像と前記第２の画像との表示位置を制御することを特徴とする請求項１から請求項９のいずれか１項に記載の電子機器。
【発明の詳細な説明】
【技術分野】
【０００１】
本発明は、背景画像とともに所定のアプリケーションに係る画像が表示部に表示される電子機器に関する。
に関する。
【背景技術】
【０００２】
現在、電子機器の表示部に表示されるユーザインターフェースは、アイコンに機能を持たせるグラフィカルユーザインターフェース（ＧＵＩ）が主流である。このアイコンによる機能の表現は、文字だけのキャラクタユーザインターフェース（ＣＵＩ）と比較して、ユーザが直感的に操作することが可能となる。
【０００３】
また、このようなユーザインターフェースを３次元的に動きのあるアイコンに変更することによって、ユーザの操作性及び視認性等を向上する技術が提案されている（例えば、特許文献１を参照）。
【特許文献１】特開２００４−２１５２２号公報
【発明の開示】
【発明が解決しようとする課題】
【０００４】
ところで、電子機器においては、アプリケーションが選択されていない状態においては表示部全面に背景画像１００が表示されており、ユーザによりメニュー等を表示する操作が行われた場合には、当該背景画像１００の一部を覆うように当該メニュー１０１が表示される（図５を参照。）。
【０００５】
しかしながら、近年においては、背景画像のデザインはユーザの好みに応じて多彩なものが選択可能になっており、背景画像のデザインとメニューのデザインの組み合わせによっては、メニューに示されている各項目が見難くなってしまう等、ユーザに対する視認性の低下を招いてしまう問題が生じ得る。
【０００６】
本発明では、上述のような課題に鑑みてなされたものであり、その目的の一つは、画像の一部が所定のアプリケーションに係る画像によって覆われたときにも、視認性を向上させることができる電子機器を提供することにある。
【課題を解決するための手段】
【０００７】
（１）本発明に係る電子機器は、上記課題を解決するために、画像が表示される表示部と、前記表示部に第１の画像を表示する第１の画像表示手段と、所定のアプリケーションに係る第２の画像を表示する第２の画像表示手段と、前記第１の画像の表示位置と前記第２の画像の表示位置とを制御する表示位置制御手段と、を備え、前記表示位置制御手段は、前記表示部への表示を開始する際に、当該表示を開始する前に前記第２の画像を表示する位置に応じて第１の画像を表示する位置を制御する。
【０００８】
（２）本発明では、（１）の電子機器において、前記所定の位置が、前記表示部の画面上において、前記第１の画像の位置と前記第２の画像の位置とが対称となる位置であることが好ましい。
【０００９】
（３）本発明では、（１）又は（２）の電子機器において、前記表示位置制御手段は、前記第１の画像中の要部の中心位置が前記第２の画像の中心位置から所定の距離以上離れるように、前記第１の画像の表示位置と前記第２の画像の表示位置とを制御することが好ましい。
【００１０】
（４）本発明では、（１）乃至（３）の電子機器において、前記表示位置制御手段は、前記第２の画像の表示位置の変化に応じて、前記第１の画像の表示位置を制御することが好ましい。
【００１１】
（５）本発明では、（１）乃至（４）の電子機器において、前記第２の画像中の選択項目を選択する選択手段、を備え、前記表示位置制御手段は、前記選択手段によって前記第２の画像中の一の選択項目が選択されたときに、前記第１の画像の表示位置を、前記表示部上において、前記第２の画像中の一の選択項目が表示されている位置に応じた所定の位置に制御することが好ましい。
【００１２】
（６）本発明では、（５）の電子機器において、前記表示位置制御手段は、前記第１の画像中の要部が前記選択された一の選択項目の中心位置から所定の距離以上離れるように前記第１の画像の表示位置を制御することが好ましい。
【００１３】
（７）本発明では、（６）の電子機器において、前記表示位置制御手段は、前記第１の画像の移動方向が、前記選択項目が選択された際における前記第１の画像中の要部と前記選択項目の中心位置とを結ぶ方向であることが好ましい。
【００１４】
（８）本発明では、（７）の電子機器において、前記選択項目が選択されていない場合は、前記第１の画像は、前記表示部の画面上において所定位置に表示されていることが好ましい。
【００１５】
（９）本発明では、（５）乃至（８）の電子機器において、前記第２の画像は、前記選択項目が選択されることにより所定の機能が発揮されるメニュー画像であることが好ましい。
【００１６】
（１０）本発明では、（９）の電子機器において、前記メニュー画像は、前記表示部において前記選択項目がマトリクス状に配置された画像であることが好ましい。
【００１７】
（１１）本発明では、（１）乃至（８）の電子機器において、前記第２の画像は、前記表示部おいて、複数の項目が所定方向に並べて配置された画像であることが好ましい。
【００１８】
電子機器において、前記表示位置制御手段は、前記第１の画像の表示位置と前記第２の画像の表示位置を制御する際に、前記第１の画像を前記第２の画像から所定時間をかけて離れるように制御することが好ましい。
【００１９】
（１２）本発明では、（１）乃至（１１）の電子機器において、前記表示部は、複数層の構造により各種の情報が表示され、前記第１の画像が前記複数層のうちの第１の層に表示され、前記第２の画像が前記複数層のうちの第２の層に表示され、前記第２の画像は透過部分を有しており、前記表示位置制御手段は、前記第１の画像を前記第２の画像の透過部分に配されるように前記第１の画像と前記第２の画像との表示位置を制御することが好ましい。
【発明の効果】
【００２０】
本発明によれば、視認性を向上させることができる。
【発明を実施するための最良の形態】
【００２１】
以下、本発明の実施の形態について説明する。図１は、本発明に係る電子機器の一例である携帯電話装置１の外観斜視図を示す。なお、以下では、携帯電話装置について説明するが、本発明はこれに限定されるものではなく、撮像機能及び通信機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２２】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２３】
また、表示部側筐体部３は、表面部２０に、各種の情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００２４】
また、撮像部２３は、撮像方向が表面部２０の表示面と垂直の方向になっているので、この携帯電話装置１を保持して操作する者がディスプレイ２１を正面から見たときに、撮像方向がその者の顔が位置する方向に向くようになっている。
【００２５】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２６】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２７】
また、携帯電話装置１では、ユーザの好みに応じて様々な画像を背景画像としてディスプレイ２１に選択表示できる機能を有している。また、携帯電話装置１では、時計画像等のような所定のアプリケーションに係る画像（以下、アプリ画像と言う。）を背景画像の一部を覆うような形態等でディスプレイ２１に表示できる機能も有している。なお、アプリ画像が背景画像の全体を覆うような形態もあり得るが、このような形態においては、アプリ画像に一定の透過率が設定してあり、当該アプリ画像を通して背景画像が透けて見える形態になっている。また、本発明では、ユーザの好みに応じて多彩な背景画像が選択されている場合において、背景画像の一部が所定のアプリケーションに係る画像によって覆われたときにも、視認性を損なわずに操作性を向上させることができる機能を有している。
【００２８】
ここで、当該機能を発揮するための構成について、図２に示す機能ブロック図を用いて説明する。携帯電話装置１は、複数層（レイヤー）の構造により各種の情報が表示されるディスプレイ２１を有しており、第１の画像表示部３１（第１の画像表示手段）と、起動部３２（起動手段）と、第２の画像表示部３３（第２の画像表示手段）と、表示位置制御部３４（表示位置制御手段）と、を備える。
【００２９】
第１の画像表示部３１は、ディスプレイ２１の第１の層に背景となる背景画像を表示する。起動部３２は、所定のアプリケーションを起動する。第２の画像表示部３３は、起動部３２により所定のアプリケーションが起動された際に背景画像が表示されている第１の層よりも上位の層である第２の層に当該起動された所定のアプリケーションに係る画像（アプリ画像）を表示する。表示位置制御部３４は、背景画像の表示位置とアプリ画像の表示位置を制御する。また、所定のアプリケーションに係る画像は、透過部分を有している。
【００３０】
また、表示位置制御部３４は、背景画像中の要部（最も看者の注意を引く部分）の中心位置がアプリ画像の中心位置から所定の距離以上離れ、背景画像中の要部がアプリ画像の透過部分に配されるように、背景画像の表示位置と当該アプリ画像の表示位置とを制御する。この所定の距離は、背景画像中の要部がアプリ画像の視認性に影響を与えない距離であれば良く、例えば、アプリ画像の中心位置からアプリ画像の透過部分までの距離を挙げることができる。もちろん、他の適宜な距離であっても良い。すなわち、表示位置制御部３４は、背景画像中の要部の表示位置をディスプレイ２１上において、アプリ画像が表示されている位置に応じた所定の位置に制御する。
【００３１】
このように構成されることにより、本発明では、背景画像の一部がアプリ画像によって覆われた場合であっても、背景画像及びアプリ画像の視認性及び判読性を損なわないので、ユーザの好みに応じた多彩な背景画像の選択を可能とする。なお、上記所定の位置がディスプレイ２１上において、背景画像中の要部とアプリ画像とが対称位置となる位置であっても良い。
【００３２】
また、表示位置制御部３４は、アプリ画像の表示位置の変化に応じて、背景画像中の要部の中心位置がアプリ画像の中心位置から所定の距離以上離れて、背景画像中の要部がアプリ画像の透過部分に配されるように、背景画像の表示位置を制御する。
【００３３】
ここで、携帯電話装置１の待受画面（通話・通信を受信するための画面であって、ミュージックプレーヤ等のアプリケーションが起動されていないときに表示される画面のことである）においては、時計を表示するアプリケーションに係る画像（以下、時計アプリ画像と言う。）が背景画像の前面に表示されるが、携帯電話装置１は、筐体が開閉される度に時計アプリ画像の表示位置を変化させる機能を有している。
【００３４】
本発明によれば、携帯電話装置１を閉状態から開状態に変化させることによって、例えば、図３（ａ）に示すように、時計アプリの中心位置Ｘがディスプレイ２１の長手方向における上側部分に表示されるように制御し、かつ、背景画像の中心位置Ｙがディスプレイ２１の長手方向における下側部分に表示されるように制御する。また、携帯電話装置１を閉状態にし、再び開状態に変化させたときには、例えば、図３（ｂ）に示すように、時計アプリの中心位置Ｘがディスプレイ２１の長手方向における下側部分に表示されるように制御し、かつ、背景画像の中心位置Ｙがディスプレイ２１の長手方向における上側部分に表示されるように制御する。
【００３５】
このようにして、本発明では、両画像の要部となる中心位置を常に所定の距離以上離すように制御することにより、背景画像の一部がアプリ画像によって覆われた場合であっても、背景画像及びアプリ画像の視認性を損なわないので、ユーザの好みに応じた背景画像の選択を可能とする。
【００３６】
また、携帯電話装置１は、図２に示すように、アプリ画像の中の選択項目を選択する選択部３５（選択手段）を備える。このような構成の場合には、表示位置制御部３４は、選択部３５によってアプリ画像の中の一の選択項目が選択されたときに、背景画像中の要部が一の選択項目の中心位置から所定の距離以上離れるように背景画像の表示位置を制御する。
【００３７】
また、所定のアプリケーションに係る画像は、選択されることにより所定の機能が発揮される選択項目としてのメニュー画像である。また、メニュー画像は、ディスプレイ２１においてマトリクス状に配置された画像である（図４を参照。）。また、所定のアプリケーションに係る画像は、図４に示されるように、選択項目がマトリクス状に配置される画像のみに限定されるものではなく、図４に示される各項目やその他の選択項目が、ディスプレイ２１において、例えば、ディスプレイ２１の長手方向に一列に選択項目が配置されていたり、短手方向に一列に配置されていたりというように、所定の一方向にリスト状に並べて配置された画像であっても良い。
【００３８】
図４に示される例では、携帯電話装置１は、ユーザにより所定の操作が行われることによりマトリクス状に各種メニュー画像が配置されたメニュー選択画像を表示する。また、メニュー画像は、割り当てられているアプリケーションに関連するアイコンと当該アプリケーションのタイトルから構成されている。また、メニュー画像は、カーソルによりポイントされていない場合には、タイトルのみを表示するものとする。また、メニュー選択画面では、アイコンとタイトル以外の部分は背景画像が透過して視認されるように所定の透過率が設定されている。
【００３９】
また、メニュー選択画像は、赤外線通信機能に係るアプリケーションが割り当てられている赤外線メニュー画像と、被写体の撮像を行う機能（カメラ機能）に係るアプリケーションが割り当てられているフォトメニュー画像と、外部メモリにアクセスする機能に係るアプリケーションが割り当てられているメモリメニュー画像と、カレンダー機能に係るアプリケーションが割り当てられているカレンダーメニュー画像と、ニュースを閲覧できる機能に係るアプリケーションが割り当てられているライフ＆ニュースメニュー画像と、電卓等のツール機能に係るアプリケーションが割り当てられているツールメニュー画像と、携帯電話装置１に関する各種機能の設定を行うアプリケーションが割り当てられている機能設定メニュー画像と、内部メモリにアクセスする機能に係るアプリケーションが割り当てられているデータフォルダメニュー画像と、ユーザの健康を管理するアプリケーションが割り当てられているメニュー画像とにより構成されている。
【００４０】
このような構成において、本発明では、例えば、赤外線メニュー画像にカーソルがポイントされたときには、所定のアイコンが表示され、かつ、背景画像の中心位置Ｙが当該アイコンの中心位置Ｘから任意の距離以上離れるように制御する（図４（ａ））。また、本発明では、例えば、メモリメニュー画像にカーソルがポイントされたときには、所定のアイコンが表示され、かつ、背景画像の中心位置Ｙが当該アイコンの中心位置Ｘから任意の距離以上離れるように制御する（図４（ｂ））。また、本発明では、例えば、機能設定メニュー画像にカーソルがポイントされたときには、所定のアイコンが表示され、かつ、背景画像の中心位置Ｙが当該アイコンの中心位置Ｘから任意の距離以上離れるように制御する（図４（ｃ））。また、本発明では、背景画像の移動方向が、アイコンが選択された際において、アイコンと背景画像との中心位置を結ぶ方向であるとしても良い。また、本発明では、選択項目が選択されていない場合は、背景画像は、例えば、ディスプレイ２１の中心というように、所定位置に配置されるとしても良い。
【００４１】
このようにして、本発明では、両画像の要部となる中心位置を常に所定の距離以上離すように制御することにより、背景画像の一部がアプリ画像によって覆われた場合であっても、背景画像及びアプリ画像の視認性及び判読性を損なわないので、ユーザの好みに応じた多彩な背景画像の選択を可能とする。
【００４２】
また、表示位置制御部３４は、背景画像の表示位置とアプリ画像の表示位置を制御する際に、背景画像をアプリ画像から所定時間をかけて離れるように制御する構成であっても良い。このように構成されることにより、背景画像の移動を滑らかに表現することができる。
【００４３】
また、本実施例では、背景画像の中心位置とアプリ画像の中心位置とを所定距離以上離れるように制御するものとして説明したがこれに限られず、例えば、一のアプリ画像と他のアプリ画像との表示位置を制御しても良いし、３つ以上の画像を表示する位置を制御する際に利用されても良い。
【図面の簡単な説明】
【００４４】
【図１】本発明に係る携帯電話装置の外観を示す斜視図である。
【図２】本発明に係る携帯電話装置の機能を示すブロック図である。
【図３】本発明に係る携帯電話装置による第１の実施例についての説明に供する図である。
【図４】本発明に係る携帯電話装置による第２の実施例についての説明に供する図である。
【図５】背景画像の一部にメニュー画像が表示される一例を示す図である。
【符号の説明】
【００４５】
１  携帯電話装置
２１  ディスプレイ
３１  第１の画像表示部（第１の画像表示手段）
３２  起動部（起動手段）
３３  第２の画像表示部（第２の画像表示手段）
３４  表示位置制御部（表示位置制御手段）
３５  選択部（選択手段）
【図１】
0005616003.tif 000002
【図２】
0005616003.tif 000003
【図３】
0005616003.tif 000004
【図４】
0005616003.tif 000005
【図５】
0005616003.tif 000006